(57)【要約】  少なくとも１つの側面が可撓性である、複数の側面を有する、ベビーベッドを提供する。少なくとも１つの側面が可撓性でかつ格納式である。格納式側面は、軌道内に各々が捕捉された、第１の縁部及び第２の縁部を有する。ベビーベッドは、さらに、少なくとも１つのロック機構と、ロック機構を解除する起動機構とを有する。起動機構が作動する時、垂直方向格納式側面が完全に展開された場合の第１のロック位置から、垂直方向格納式側面が床板の下に湾曲する又はスプール内に巻き取る場合の第２のロック位置まで、垂直方向格納式側面が軌道に沿って可動である。
2013524931.tif 000002
【特許請求の範囲】
【請求項１】
床板と複数の側面とを有し、少なくとも１つの側面が可撓性でかつ格納式であるベビーベッドにおいて、
格納式側面は第１の縁部及び第２の縁部を有し、第１の縁部は第１の軌道内に連続的に捕捉されており、第２の縁部は第２の軌道内に連続的に捕捉されており、第１の軌道及び第２の軌道が床板の下で湾曲して、格納式側面をその格納時に床板の下で湾曲させている、ベビーベッド。
【請求項２】
複数の側面のうち２つ以上が可撓性である、請求項１に記載のベビーベッド。
【請求項３】
複数の側面を連結する複数の直立した隅柱を伴って矩形である床板をさらに有し、第１の軌道及び第２の軌道が隅柱の内部に位置設定されている、請求項１に記載のベビーベッド。
【請求項４】
格納式側面の第１の縁部及び第２の縁部の各々は、第１の軌道及び第２の軌道内に捕捉され第１の軌道及び第２の軌道に沿って摺動する少なくとも１つのホイールを有する、請求項１に記載のベビーベッド。
【請求項５】
複数の側面のうち少なくとも１つが湾曲している、請求項１に記載のベビーベッド。
【請求項６】
ベビーベッドをとり囲む格納式天蓋をさらに有する、請求項１に記載のベビーベッド。
【請求項７】
床板が、円形又は卵形の形状を有する、請求項１に記載のベビーベッド。
【請求項８】
格納式側面が直立して完全に展開された場合の第１のロック位置から、格納式側面が床板の下に完全に格納された場合の第２のロック位置まで、格納式側面が軌道に沿って可動である、請求項１に記載のベビーベッド。
【請求項９】
格納式側面が、第１のロック位置と第２のロック位置との間に位置設定された少なくとも１つの中間ロック位置でロックされる、請求項８に記載のベビーベッド。
【請求項１０】
複数の側面のうち２つ以上が可撓性である、請求項８に記載のベビーベッド。
【請求項１１】
複数の側面のうち１つ以上が湾曲している、請求項８に記載のベビーベッド。
【請求項１２】
第１のロック位置、第２のロック位置及び中間ロック位置が、少なくとも１つの穴と係合して第１のロック位置、第２のロック位置又は中間ロック位置に格納式側面をロックする格納式側面の第１の縁部又は第２の縁部上に位置設定された少なくとも１本のピンを有している、請求項９に記載のベビーベッド。
【請求項１３】
第１のロック位置、第２のロック位置及び中間ロック位置が、ロッキングアームと係合して第１のロック位置、第２のロック位置又は中間ロック位置に格納式側面をロックする格納式側面の第１の縁部又は第２の縁部上に位置設定された少なくとも１つのロックストッパーを有している、請求項９に記載のベビーベッド。
【請求項１４】
格納式側面が、少なくとも１つのフットペダルによって第１のロック位置、第２のロック位置又は中間ロック位置から解放される、請求項９に記載のベビーベッド。
【請求項１５】
床板が矩形形状を有する、請求項８に記載のベビーベッド。
【請求項１６】
床板が円形又は卵形形状を有する、請求項８に記載のベビーベッド。
【請求項１７】
複数の側面を有し、この複数の側面のうち少なくとも１つが可撓性である床板によって支持されるマットレスと、
マットレスの上面とほぼ同じ高さまで上向きに延在する、ベビーベッドの周囲に付加された複数の外側剛性パネルと、
を有し、こうして複数の側面に外側剛性パネルとマットレスの間に捕捉され、乳幼児が中に落下したり又は身動きが取れない状態になる可能性のある空隙がマットレスと複数の側面の間に全く存在しなくなっているベビーベッド。
【請求項１８】
垂直方向に移動する床板をさらに有し、床板が垂直方向に移動させられる場合に常にマットレスの上面とほぼ同じ高さまで外側剛性パネルが上向きに延在するように、複数の外側剛性パネルが垂直方向に移動する、
請求項１７に記載のベビーベッド。
【請求項１９】
マットレスの上面とほぼ同じ高さまで上向きに延在する、床板の周囲に付加された複数の外側剛性パネルをさらに有し、こうして複数の側面は外側剛性パネルとマットレスの間に捕捉され、乳幼児が中に落下したり又は身動きが取れない状態になる可能性のある空隙がマットレスと複数の側面の間に全く存在しなくなっている、請求項１に記載のベビーベッド。
【請求項２０】
２つの長辺と２つの短辺を伴う矩形である床板をさらに有し、２つの短辺内に第１の軌道及び第２の軌道が位置設定されている、請求項１に記載のベビーベッド。
【発明の詳細な説明】
【技術分野】
【０００１】
本願は、一般にベビーベッドに関し、より詳細には可撓性通気性材料で作られた側面を伴うベビーベッドに関する。
【背景技術】
【０００２】
数多くのメーカーが、木材又は他の頑丈な材料で製造された側板付きのベビーベッドを販売している。他の懸案事項のなかでも、乳幼児が、頭や他の身体部分を硬質側板にぶつけたり又は側板の間に手足を捕捉されたりして、木製側板付きベビーベッドがけがの原因となり得るという問題が存在する。したがって、ベビーベッドを柔らかい通気性の側面を備えた形で設計し、木製側板付きベビーベッドの危険性を回避するようにすることが望ましいと思われる。
【０００３】
さらに、一部の木製側板付きベビーベッドは、親が乳幼児をベビーベッドに入れるか、乳幼児をあやすか、又はベビーベッドから乳幼児を出すことをより容易にするドロップダウン側面を有する。しかしながら、ドロップダウン側面を伴うベビーベッドは、ドロップダウン側面がベビーベッドの残りの部分から離れて空隙を作り出し、それが驚くほどの数の絞扼による死亡を発生させてきたことから、安全上の関心が高まっている。
【発明の概要】
【発明が解決しようとする課題】
【０００４】
したがって、少なくとも１つが格納式である可撓性通気性側面を伴うベビーベッドを設計することが望ましいと思われる。乳幼児が、１つの側面に対して顔から転がった場合でも、通気性材料のため窒息する恐れは全くないと考えられ、同時に、乳幼児が硬質の木材にぶつかったり又は手足をベビーベッドの側板の間に捕捉されたりして危害をこうむる危険性も全くないと考えられる。
【０００５】
さらに、多くのメーカーは、軟質で通気性の側面を有するものの、乳幼児が側面とマットレスの間の空隙の中で身動きが取れなくなるのを防止するために非常に薄くフルサイズでないベビーベッドマットレスを収納することしかできない「プレイヤード」を販売している。その上、これらの製品は折り畳んで小さな空間内に保管するために折畳可能な側面を有している。したがって、フルサイズのベビーベッドマットレスを収容でき、マットレスと側面の間の空隙をことごとく防ぐシステムを有する軟質で通気性の側面を伴うベビーベッドを設計することが望ましいと思われる。
【課題を解決するための手段】
【０００６】
本出願は、ベビーベッドを提供する。ベビーベッドは、床板と複数の側面とを有し、少なくとも１つの側面が可撓性材料を有しかつ格納式であり、格納式側面は第１の縁部及び第２の縁部を有し、第１の縁部は第１の軌道内に捕捉されており、第２の縁部は第２の軌道内に捕捉されている。ベビーベッドはさらに、格納式側面を第１の位置に維持する少なくとも１つのロック機構と、ロック機構を解除し格納式側面が移動できるようにする少なくとも１つの起動機構を有する。格納式側面の第１の縁部及び第２の縁部は、格納式側面が第１の位置から第２の位置まで移動するとき軌道内にとどまる。
【０００７】
別の実施形態においては、ベビーベッドは、床板と、複数の側面の少なくとも１つは可撓性材料を有しかつ格納式である複数の側面と、格納式側面と突き合わさる側面の各々に取付けられ各々が１本の軌道を有する隅柱とを有する。格納式側面は、軌道に沿って移動する第１の縁部と第２の縁部を有する。ベビーベッドはさらに、格納式側面を第１の位置に維持する少なくとも１つのロック機構と、ロック機構を解除し格納式側面が移動できるようにする少なくとも１つの起動機構を有する。格納式側面は、格納式側面が完全に展開されている第１のロック位置から、格納式側面が格納されている第２のロック位置へと、軌道に沿って可動であり、第１の縁部及び第２の縁部は、格納式側面が第１の位置から第２の位置まで移動する間は常に軌道の内部にとどまっている。
【０００８】
さらに別の実施形態では、ベビーベッドは、複数の側面を有する床板により支持されるマットレスを有し、複数の側面のうち少なくとも１つは可撓性材料を有し、複数の側面は各々固定された縁部を有している。ベビーベッドは同様に、ほぼマットレスと同じ高さまで延在する複数の外側パネルも有しており、これによりマットレスと複数の側面の間の空隙を防止している。
【０００９】
これらのならびに他の態様及び利点は、適宜添付の図面を参照しながら以下の詳細な説明を読むことにより、当業者には明白となるものである。さらに、この概要及び他の場所で説明されている実施形態は、単なる一例として本発明を例証するように意図されていることを理解すべきである。
【００１０】
本発明の例示的実施形態は、本明細書中で、図面を参照しながら説明される。
【図面の簡単な説明】
【００１１】
【図１】本出願のベビーベッドの斜視図である。
【図２】一つの側面が格納された状態にある、図１に示したベビーベッドの斜視図である。
【図３】図１に示されたベビーベッドの分解組立図である。
【図４】図１に示されたベビーベッドの底面斜視図である。
【図５】図１に示されたベビーベッドの格納式側面の変形実施形態である。
【図６Ａ】図１に示されたベビーベッドの格納式側面の一実施形態の正面斜視図である。
【図６Ｂ】図１に示されたベビーベッドの一側面上の隅柱にしっかり固定された格納式側面の一実施形態の拡大図である。
【図７Ａ】図１に示されたベビーベッドの一側面上の隅柱にしっかり固定された格納式側面の別の実施形態の拡大図である。
【図７Ｂ】図７Ａに示されたベビーベッドの側面の拡大図である。
【図８】図１に示されたベビーベッドに使用してよい例示的ロック機構及び起動機構の拡大図である。
【図９Ａ】代替的ロック機構を有するベビーベッドの側面の別の実施形態の正面図である。
【図９Ｂ】図９Ａに示されたベビーベッドの側面の拡大図である。
【図１０Ａ】図８に示されたロック機構及び図１に示されたベビーベッドで使用してよい代替的起動機構の拡大図である。
【図１０Ｂ】図８に示されたロック機構及び図１に示されたベビーベッドで使用してよい代替的起動機構の拡大図である。
【図１０Ｃ】図８に示されたロック機構及び図１に示されたベビーベッドで使用してよい代替的起動機構の拡大図である。
【図１１】図１に示されたベビーベッドで使用してよい起動機構のさらに別の例の正面図である。
【図１２Ａ】図１に示されたベビーベッドの格納式側面の異なる位置の正面図である。
【図１２Ｂ】図１に示されたベビーベッドの格納式側面の異なる位置の正面図である。
【図１２Ｃ】図１に示されたベビーベッドの格納式側面の異なる位置の正面図である。
【図１２Ｄ】図１に示されたベビーベッドの格納式側面の異なる位置の正面図である。
【図１３Ａ】図１に示されたベビーベッドの床板の異なる位置の斜視図である。
【図１３Ｂ】図１に示されたベビーベッドの床板の異なる位置の斜視図である。
【図１３Ｃ】図１に示されたベビーベッドの床板の異なる位置の斜視図である。
【図１４】図１に示されたベビーベッドの変形実施形態の斜視図である。
【図１５】図１に示されたベビーベッドのさらに別の変形実施形態の正面図である。
【図１６】図１に示されたベビーベッドのさらに別の変形実施形態の正面図である。
【発明を実施するための形態】
【００１２】
以下の詳細な説明においては、その一部をなす添付図面に対する参照が指示される。図面中、文脈上他の意味に解すべき場合を除き、類似の記号は典型的に類似の構成要素を識別する。詳細な説明、図面及びクレーム中に記載されている例証的実施形態は、限定的意味を有するものではない。本明細書中で提示されている主題の精神又は範囲から逸脱することなく、他の実施形態を使用してよく、また他の変更を加えてもよい。本明細書中で一般的に記述され図中に示されている本開示の態様は、アレンジされ、置換され、組合わされ、分離され、かつ異なる多様な構成で設計され得、その全てが本明細書中で明示的に企図されている。
【００１３】
本出願は、可撓性通気性材料で製造された側面を有するベビーベッドにおいて、少なくとも１つの側面が格納式であるベビーベッドを提供している。格納式側面は、ベビーベッドの側面のいずれかの１つ以上であってよい。ベビーベッドは矩形、円形であってよく、あるいは任意の他の形状をとっていてもよい。格納式側面を移動させるために、ユーザーは、ロック機構を解除し得る起動機構を活動化させることができ、こうして子供が自力で側面を格納するのを妨げることができる。ひとたびロック解除された場合に格納式側面は、軌道に沿って摺動し床板下で湾曲するか又は、格納式側面を収集し巻取るスプール上に格納され得る。格納式側面は、垂直方向か又は水平方向に移動してよい。完全開放から完全閉鎖まであるいはその間の複数の中間位置において側面が所定の場所にロックされ得る複数の位置が存在し得る。
【００１４】
ここで図面を参照すると、図１は、本出願の例示的ベビーベッド１００を示す。ベビーベッド１００は、複数の隅柱１０１、１０３、１０５及び１０７、床板１０２、複数の隅柱に取付けられた複数の側面１０４、１０６、１０８及び１１０を有してもよい。あるいは、側面１０４、１０６、１０８、１１０は、任意の適切な要領で互いに直接取付けられてよい。例示的一実施形態において、ベビーベッド１００は４枚の側面と４本の隅柱を有してもよい。床板１０２及び各々の側面は、全体として矩形の形状をしていてよく、あるいは任意の適切な形状をとることができる。床板１０２は、図３に示されているベッドフレームであり得、マットレス１０９を収容する場合がある。床板１０２は、任意のタイプの金属、木材、プラスチック又はファブリックなどで構築され得る。床板１０２は、床又は地面から上に一定の距離のところで隅柱１０１、１０３、１０５及び１０７又は側面１０４、１０６、１０８及び１１０に取付けられてよい。床板１０２はさらに、ベビーベッド１００内でマットレス１０９の高さを変更するために調整可能であり得、このことは、図１３Ａ〜１３Ｃに関連して以下で詳述する。こうして、床板１０２とマットレス１０９は、例えばより幼い乳幼児のためには引き上げ、また自ら立ち上がることのできる乳幼児のためには降下させることができる。
【００１５】
各々の側面１０４、１０６、１０８及び１１０は、図３に示されている外側フレーム１１２、１１４、１１６、１１８を有してもよく、フレームはピンと張られた通気性の可撓性側面１２０、１２２、１２４、１２６をとり囲む。可撓性側面の材料は、外側フレーム１１２、１１４、１１６及び１１８に縫い合わせできる。あるいは、可撓性側面１２０、１２２、１２４、１２６を、例えば接着剤又はプラスチック成形などの任意の適切な締結用手段により、外側フレームに取付けてもよい。外側フレーム１１２、１１４、１１６及び１１８は、例えば金属、木材、プラスチック又はファブリックで作製されてよい。可撓性側面１２０、１２２、１２４、１２６は、木綿、ナイロン又は合成材料などの可撓性通気性材料で作製されてよい。可撓性側面１２０、１２２、１２４、１２６は、床板１０２内部に収納されるか又は床板１０２に対し同一平面上にあって、ベビーベッド１００の側面１０４、１０６、１０８、１１０とマットレス１０９の間にほとんど又は一切空隙を残さないでよい。
【００１６】
以上で論述した通り、ベビーベッド１００は、ベビーベッド内に又はベビーベッドから外に子供を容易に出し入れできるようにするため少なくとも１つの格納式側面１０４を有してもよい。例えば、図１及び２に示されている通り、側面１０４は格納式であり得る。別の実施形態では、複数の側面、例えば側面１０４及び１０６の両方が格納式であってよい。隅柱１０１、１０３は各々、格納式側面１０４の第１の縁部１１５及び第２の縁部１１７を収容し捕捉するため隅柱内部に位置設定された１本以上の軌道又はスロット１２９、１３１を有してもよく、このことは図６Ａ及び６Ｂを見れば最も良くわかる。軌道１２９、１３１は、格納式側面１０４の運動を誘導する。軌道１２９、１３１は、図４に示されている通り、床板１０２の下側まで延在して、格納式側面１０４が格納される場合に床板の下側で格納式側面１１４を誘導することができる。図５に示されている一変形実施形態において、軌道１２９、１３１は、隅柱１０１、１０３の下縁部１２８に至るまでのみ延在し得、格納式側面１０４は、格納式側面１０４を収集し巻取るスプール１３０上に格納され得る。
【００１７】
別の実施形態において、側面１０６が格納式である場合、軌道は、側面１０６の縁部を捕捉するため隅柱１０５及び１０７の中に位置設定されてよい。さらに、両方の側面１０４及び１０６が格納式である場合、軌道は、両方の格納式側面を収容するため全ての隅柱１０１、１０３、１０５、１０７の中に位置設定されていてよい。さらに別の実施形態においては、全ての側面１０４、１０６、１０８及び１１０は格納式であり得、全ての格納式側面を収納するために、２本以上の軌道が各隅柱１０１、１０３、１０５、１０７内に位置設定されてよい。さらに別の実施形態では、側面１０４、１０６、１０８及び１１０のいずれも格納式でない場合がある。
【００１８】
１つ以上のキャスター１１１を各隅柱１０１、１０３、１０５、１０７の下端部に向けて位置設定して、ベビーベッドを移動できるようにしてよい。キャスター１１１は、それらを所定の位置にロックするようにロック機構１１３を有してもよい。キャスター１１１は同様に、隅柱１０１、１０３、１０５、１０７から取外すこともできる。
【００１９】
図３を再び参照すると、床板１０２は、矩形であり得かつ床板１０２に取りつけられマットレス１０９とほぼ同じ高さまで延在し得る例えばパネル１３４などの複数の内側パネルを有してもよい。内側パネル１３４は、マットレス１０９をすっぽりととり囲み、こうしてマットレス１０９とパネル１３４の間にはほとんど又は全く空隙が存在しない。内側パネル１３４は、例えば金属、木材又はプラスチックなどで作製されてよい。
【００２０】
ベビーベッド１００は、さらに、マットレス１０９とほぼ同じ高さまで延在し、可撓性側面１２０、１２２、１２４、１２６とマットレスの間には確実にほとんど又は一切空隙がないようにし得る複数の外側パネル１３２を有してもよい。可撓性側面１２０、１２２、１２４、１２６は、内側パネル１３４と外側パネル１３２の間に位置設定されてよい。外側パネル１３２は、例えば金属、木材、プラスチック又はファブリックで作製されてよい。床板１０２は同様に、床板１０２を隅柱１０１、１０３、１０５、１０７に取付けるための１つ以上の連結用部材１３５を有し得る。
【００２１】
格納式側面１０４の外側フレーム１１２は、格納式側面１０４の第１の縁部１１５、第２の縁部１１７、第３の縁部１１９及び第４の縁部１２１に取付けられてよい。格納式側面１０４は、上述の通り軌道１２９、１３１で隅柱１０１、１０３に取付けられてよい。図６Ａ及び６Ｂに示された一実施形態において、第１の縁部１１５及び第２の縁部１１７は、垂直な平面部分１３３を有してもよく、軌道１２９、１３１は、格納式側面１０４の第１の縁部１１５及び第２の縁部１１７の各々を収容するようにＴ字形であってよい。側面１０４の第１の縁部１１５及び第２の縁部１１７は、格納式側面１０４が展開させられ格納される間、軌道１２９、１３１内を摺動し得る。
【００２２】
別の実施形態において、軌道１２９、１３１は、図７Ａ及び７Ｂの中で示されている通り、ホイール１４０を収容するように整形されてよい。ホイール１４０は、グロメットなどの締結具１４１により第１の縁部１１５及び第２の縁部１１７にしっかりと固定されてよく、軌道１２９、１３１の内部で側面１０４の運動を容易にしてよい。あるいは、任意の適切な締結具がホイールを第１の縁部１１５及び第２の縁部１１７に固定してよい。
【００２３】
格納式側面１０４は、側面１０４の縁部１１５、１１７が軌道１２９、１３１内を移動できるようにするため任意の適切な要領で隅柱１０１、１０３に取付けられてよいということを理解すべきである。
【００２４】
ベビーベッド１００は、さらに、ロック機構及びロック機構を解除するための起動機構を有してもよく、その例が図８〜１１に示されている。ベビーベッド１００と共に任意の適切なロック機構又は起動機構を使用してよいことを理解すべきである。
【００２５】
図８に示されている１つの例示的ロック機構において、ロック機構１６０は、格納式側面１０４を所定の場所にロックするために使用してよい。ロック機構１６０は、格納式側面１０４の第３の縁部１１９の各々の側面上に位置設定された起動機構１６４に連結されたロックピン１６２を有し得る。起動機構１６４は、例えばボタンを有してもよい。ロックピン１６２は、例えばバネ式ロックピンであってよい。ロックピン１６２は、隅柱１０１、１０３又は側面１０８、１１０内に位置設定された穴１６６に係合し得る。複数の穴１６６が隅柱１０１、１０３に沿って位置設定され、こうして格納式側面１０４を、例えば図１２Ａ〜１２Ｄに示された位置などの隅柱１０１、１０３に沿った様々な位置にロックできるようになっている。
【００２６】
作動中、ユーザーが起動機構１６４の両方を同時に押した場合、ロックピン１６２は穴１６６から解除され、格納式側面１０４は自由に移動できる。図８に示された例示的実施形態において、格納式側面１０４は垂直方向に移動し得る。一変形実施形態においては、格納式側面１０４は、水平方向に移動してよい。格納式側面１０４を所定の場所に戻してロックするためには、ユーザーは格納式側面１０４を、ロックピン１６２が一組の穴１６６と整列する位置まで移動させ、起動機構１６４を解除し、こうしてロックピン１６２は穴１６６と係合する。
【００２７】
図９及び１０に示されている別の実施形態においては、ベビーベッド１００で、代替的なロック機構及び起動機構を使用してよい。格納式側面１０４の第１の縁部１１５及び第２の縁部１１７は、少なくとも１つの第１のロックストッパーセット１５２、１５４を有してもよい。第１のロックストッパーセット１５２、１５４は、ベビーベッド１００の底面近くに位置設定された一対のロックアーム１８０、１８２と係合してよく、これらのアームは図１０Ａ〜１０Ｃに詳細に示され、格納式側面１０４が完全に展開されている第１の位置つまりアップ位置にロックされ得るようにする。格納式側面１０４は同様に、第２の位置つまり格納位置にもロックされ得、この位置で格納式側面１０４は格納されベビーベッド１０２の下側に部分的に位置設定されるか又は部分的にスプール１３０内に巻取られる。
【００２８】
第１のロックストッパーセット１５２、１５４は、格納式側面１０４の第４の縁部１２１に向けて位置設定されてよい。第１のロックストッパーセット１５２、１５４は、格納式側面１０４の第３の縁部１１９が調整中確実に地面に対して平坦かつ平行にとどまるようにするため、格納式側面１０４の第１の縁部１１５及び第２の縁部１１７の各々の上に同じ高さで位置設定されてよい。こうして、格納式側面１０４の第１の縁部１１５及び第２の縁部１１７は、同じ速度で共に移動する。
【００２９】
ロックストッパー１５６、１５８などの類似の形状をもつ離隔された複数の追加のロックストッパーを、第１の縁部１１５及び第２の縁部１１７に沿って位置設定してよい。追加のロックストッパーは、格納式側面１０４が、第１の位置と第２の位置の間に位置設定された少なくとも１つの中間位置でロックできるようにする。中間位置の例は、図１２Ｂ〜１２Ｃに示されている。
【００３０】
上述の通り、外側フレーム１１２は同様に、複数のホイール、例えば第１の縁部１１５及び第２の縁部１１７に付加された第１のホイールセット１４０、１４２も有してもよい。第１のホイールセット１４０、１４２は、格納式側面１０４の運動を誘導するため、隅柱１０１、１０３内部に位置設定された軌道１２９、１３１に沿って走行し得る。第１のホイールセット１４０、１４２は、格納式側面１０４の第４の縁部１２１の近くに位置設定されていてよく、第２のホイールセット１４４、１４６は、第３の縁部１１９の近くに位置設定されていてよい。ホイール１４０、１４２、１４４、１４６は、締結具１４１などの締結具により格納式側面の第１の縁部１１５及び第２の縁部１１７に取付けられてよい。ホイールセット１４０、１４２及び１４４、１４６は、格納式側面１０４の両方の縁部１１５、１１７が確実に同じ速度で共に移動するようにするため、格納式側面１０４の各縁部１１５、１１７上に同じ高さで位置設定されてよい。ホイール１４８、１５０などの複数の追加のホイールも、格納式側面１０４の第１の縁部１１５及び第２の縁部１１７に沿って位置設定され、軌道１２９、１３１を通過する格納式側面１０４の運動をさらに容易にし得る。あるいは、格納式側面１０４の第１の縁部１１５及び第２の縁部１１７は、ホイールを使用せずに軌道１２９、１３１に沿って移動してよい。
【００３１】
各々のロックストッパーセット１５２、１５４及び１５６、１５８は、図９Ｂに示されるように、傾斜路部分１５３と全体に平坦な部分１５５を有してもよい。傾斜路部分１５３は、起動機構を使用せずに格納式側面１０４を引き上げることができるようにする。全体に平坦な部分１５５は、ロックアーム１８０を所定の場所に保持し、格納式側面１０４が移動できなくする。あるいは、ロックストッパー１５２、１５４及び１５６、１５８は、格納式側面１０４のロック及びロック解除を可能にするのに適した任意の要領で整形されてよい。
【００３２】
ここで図１０Ａ−１０Ｃを参照すると、ベビーベッド１００は、第１の位置２００、第２の位置３００及び第１の位置と第２の位置の間に位置設定された中間位置４００、４０２を含めた図１２Ａ〜１２Ｄに示されている様々な位置に格納式側面１０４をロックするための少なくとも１つのロックアーム１８０を有してもよい。ロックアーム１８０は、例えばハンドルであってよい。ロックアーム１８０は、格納式側面１０４の下で、側面１０８の底面近くに位置設定され得る。さらに、側面１１０の底面近くに第２のロックアーム１８２を位置設定してよい。ロックアーム１８０、１８２は、格納式側面１０４の両方の縁部１１５、１１７を同じ速度で移動させるように格納式側面１０４上に位置設定された複数のロックストッパー１５２、１５４、１５６、１５８と共に機能してよい。
【００３３】
ベビーベッド１００はさらに、ロックストッパー１５２から少なくとも１つのロックアーム１８０を解除し、こうして格納式側面１０４をロックされた位置からロック解除するための起動機構１３８を有してもよい。起動機構１３８は、例えばフットペダルであってよい。一変形実施形態において、起動機構は、図１１に示されている通り格納式側面１０４の内部に収納されるか又は格納式側面に取付けられてよく、これについては以下に詳述する。
【００３４】
ロックアーム１８０は、連結用部材１８４により起動機構１３８に取付けられてよい。連結用部材１８４は、金属、木材及びプラスチック製ロッド（図示せず）により起動機構１３８にしっかりと固定されてよい。あるいは、任意の適切な締結用機構により起動機構１３８に対し連結用部材１８４をしっかりと固定してもよい。少なくとも１つの支持体１３６が、起動機構１３８をベビーベッド１００にしっかりと固定し得る。ベビーベッド１００はさらに、起動機構１３８のもう１つの側面に連結する第２の支持体１３９を有してもよい。
【００３５】
図１１は、ベビーベッド１００で使用してよい起動機構のさらに別の実施形態を示す。この実施形態においては、単一の起動機構１６８が、両方のロックピン１６２の穴１６６の内外への運動を制御する。起動機構１６８は、例えばボタンを有してもよい。起動機構１６８は、格納式側面１０４の第３の縁部１１９に位置設定されていてよい。あるいは、起動機構１６８をベビーベッド１００上の任意の場所に位置設定してよい。ユーザーは、起動機構１６８を押して、ロックピン１６２の両方を穴１６６から解放し、こうして格納式側面１０４が移動できるようにしてよい。格納式側面１０４を所定の場所に戻してロックするために、ユーザーは、一組の穴１６６とロックピン１６２が整列する位置に格納式側面を移動させ、起動機構１６８を解放して、ロックピン１６２と穴１６６と係合させることができる。
【００３６】
作動中、格納式側面１０４は、図１２Ａに示されているように、ロック機構が係合されている完全に展開された第１の位置にロックされた状態で開始してよい。例えば、第１のロックストッパーセット１５２、１５４はロックアーム１８０、１８２と係合させられ、そうでなければロックピン１６２が穴１６６と係合させられる。格納式側面１０４を解放するためには、ユーザーは格納式側面１０４をわずかに持ち上げ、同時に起動機構１６０又は１３８などの起動機構を押す。このとき、格納式側面１０４の第１の縁部１１５及び第２の縁部１１７又はホイール１４０、１４２、１４４、１４６は自由に隅柱１０１、１０３の軌道１２９、１３１内を移動でき、格納式側面１０４は移動してよい。格納式側面１０４が移動するにつれて、格納式側面１０４の外側フレーム１１２及び可撓性側面１２０は、床板１０２の下側で湾曲するか、あるいは、格納式側面１０４を収集し、巻取るスプール１３０内に格納され得る。格納式側面１０４が所望の中間位置、例えば図１２Ｂ及び１２Ｃ内に示された中間位置４００又は４０２まで移動させられた時点で、ユーザーは、以上で記述したロック機構の１つを用いて格納式側面１０４を所定の場所にロックすることを選択してもよい。
【００３７】
次にユーザーは、格納式側面１０４を図１２Ｄに示した完全に格納された第２の位置３００まで移動させる決定を下す場合がある。ユーザーは再び格納式側面１０４をわずかに持ち上げ、同時に起動機構を押し、これは同時にロック機構を解放する。このとき格納式側面１０４の縁部１１５、１１７又はホイールは、自由に隅柱１０１、１０３の軌道１２９、１３１内を移動でき、格納式側面１０４は移動し得る。格納式側面１０４が移動するにつれて、格納式側面１０４の外側フレーム１１２及び通気性側面１２０は床板１０２の下側でさらに湾曲し得る。図１２Ｄに示されている第２の位置２００において、格納式側面１０４は、ほぼ完全に床板１０２の下側に位置設定されている（あるいはスプール１３０内にほぼ完全に巻取られている）。
【００３８】
第２の位置から中間位置又は第１の位置へ戻るように格納式側面１０４を展開させるために、ユーザーは、起動機構を押す必要がない場合がある。むしろ、ユーザーは格納式側面１０４を上向きに持ち上げ、持ち上げ動作が格納式側面１０４を上向きに移動させる。あるいは、ユーザーは、格納式側面を持ち上げながら、起動機構を押してもよい。こうして、格納式側面１０４を移動させるのに、片手しか必要でないかもしれない。あるいは、ユーザーは、格納式側面１０４を引き上げるために起動機構を活動化してもよい。
【００３９】
格納式側面１０４は、その引き上げ及び降下中において常に軌道１２９、１３１内に収納され、こうして、格納式側面１０４とベビーベッド１００の残りの部分の間の空隙又は離隔をことごとく無くすることができる。
【００４０】
別の実施形態においては、ベビーベッド１００は格納式側面を全く有していなくてよい。側面１０４、１０６、１０８及び１１０は、所定の場所に常時固定され得る。ベビーベッド１００は、フルサイズのベビーベッドマットレス１０９を収容できる。図３を参照すると、床板１０２は、矩形であり得るパネル１３４などの複数の内側パネルを有してもよく、このパネルは、床板１０２に取り付けられ、マットレス１０９とほぼ同じ高さまで延在してよい。内側パネル１３４はマットレス１０９をすっぽりとり囲み、こうしてマットレス１０９とパネル１３４の間にはほとんど又は全く空隙がなくなる。内側パネル１３４は、例えば金属、木材又はプラスチックなどで作製されてよい。
【００４１】
格納式側面を全く伴わないベビーベッド１００はさらに、マットレス１０９と同じ高さまで延在し、さらに、可撓性側面１２０、１２２、１２４、１２６とマットレスの間には確実に空隙がほとんど又は全く無くなるようにすることのできる複数の外側パネル１３２を有してもよい。可撓性側面１２０、１２２、１２４、１２６は、内側パネル１３４と外側パネル１３２の間に位置設定されてよい。外側パネル１３２は、例えば金属、木材、プラスチック又はファブリックなどで作製されてよい。
【００４２】
上述の通り、ベビーベッド１００の床板１０２は調整可能であってもよい。床板１０２を調整するためには、ユーザーは、図１３Ａに示されているように、隅柱１０１、１０３、１０５、１０７又は側面１０４、１０６、１０８、１１０から締結解除又は螺入解除することにより、側面１０４、１０６、１０８、１１０から外側パネル１３２を取り外すことができる。任意の適切な締結用機構により側面に外側パネル１３２を取付けてよいということを理解すべきである。ユーザーは次に、図１３Ｂに示されているように連結用部材１３５を取り外し、中間位置まで床板を上下に移動させることにより、床板１０２を位置づけし直してよい。連結用部材１３５は、隅柱１０１、１０３内に対角線方向にしっかり固定されているボルトを有してもよい。あるいは、連結用部材１３５は、任意の適切な締結用機構を有してもよい。床板１０２をひとたび所望の位置に調整した時点で、連結用部材１３５は隅柱１０１、１０３にしっかり固定され、次に外側パネル１３２を、図１３Ｃに示されている通り螺入するか又は任意の適切な締結用機構によって側面１０４、１０６、１０８、１１０に再度取り付けてよい。床板１０２の調整により、ベビーベッド１００は乳児ならびに自ら立ち上がることのできる幼児の両方を収容することができる。
【００４３】
図１４を参照すると、ベビーベッド１００は同様に、幼児が側面上を乗り越えるのを防ぐためベビーベッド１００の上面をとり囲み得る天蓋５００を有してもよい。天蓋５００は、例えば木綿、又は合成材料などの可撓性通気性材料で作製されてよい。天蓋５００は、側面１０４又は１０６の１つからベビーベッド１００の上面を横断して摺動し、側面１０４又は１０６のうちのもう一方の上面において所定の場所にロックしてよい。天蓋５００はあらゆるタイプの設計を有し得る。天蓋５００は、ベビーベッド１００上で所定の場所に天蓋をロックするため、例えば上述のロック機構１６０などのロック機構を有してもよい。天蓋５００は、ベビーベッドの上面の第１の位置、ベビーベッドの底面の第２の位置又は、第１の位置と第２の位置の間の多数の中間位置でロックされてよい。
【００４４】
図１５及び１６は、ベビーベッド１００のさらに別の実施形態を示す。この実施形態において、ベビーベッド１００は円形又は卵形の形状を有する。図１５に示されているように、ベビーベッド１００は、その周囲を２方向に移動し得る少なくとも２枚の側面又はパネル６００、６０２を有し得る。側面６００、６０２は、可撓性材料を有してもよい。側面６００、６０２は、側面６００、６０２の間に位置設定されたロック機構６０４内にロックしてよい。あるいは、ロック機構６０４は、側面６００、６０２の縁部にしっかり固定されてよく、側面６００、６０２は相互にロックし得る。側面６００、６０２は、水平方向を対面方向に引かれてベビーベッド１００を取り囲むことができ、あるいは離れる方向に引かれて、ユーザーが子供をベビーベッド１００から持ち上げて出すことのできる開口部をベビーベッドの中に作り上げることもできる。
【００４５】
図１６は、ベビーベッドの全周にわたって延在する少なくとも１つの側面７００を有するベビーベッド１００を示している。側面７００は、可撓性材料を有し得る。側面７００は、合わせてしっかり固定されてベビーベッド１００をとり囲む第１の縁部７０２と第２の縁部７０４を有してもよい。第１の縁部７０２及び第２の縁部７０４は、例えばスプールを有するパネルなどの、縁部の間に位置設定された第２の側面７０６によって合わせてしっかりと固定されてよい。あるいは、第２の側面７０６は、任意の適切なロック機構を有してもよい。側面７００はベビーベッド１００のまわりで完全に引張られて、第２の側面７０６にしっかりと固定し、ベビーベッドをとり囲むことができ、あるいは、側面の縁部７０２、７０４は、引き離されて、ユーザーが子供をベビーベッド１００から持ち上げて出すことのできる開口部をベビーベッド内に作り上げることもできる。
【００４６】
ベビーベッド１００はさらに、追加の機能、例えばベビーベッドの床板１０２の底面にある保管用ひき出し、内蔵型の子守歌プレーヤー、内蔵型の心臓鼓動模倣装置、内蔵型のベビーモニター、又はあらゆる数の他の機能を有してもよい。
【００４７】
本出願のベビーベッドのいくつかの利点としては、木製側板付きベビーベッドの安全上の懸案事項を無くすることが含まれる。さらに、世話をする人間が子供に接近できる可能性あるいはマットレス上で下着を着替えさせる可能性は、１つ以上の格納式側面の存在により大幅に増強される。
【００４８】
様々な例示的実施形態が記述されてきた。本開示は、本出願に記載された特定の実施形態の観点から限定されるべきものではなく、これらの実施形態は、様々な態様の例証として意図されたものである。当業者にとっては明白であるように、本開示の精神及び範囲からの逸脱なく、数多くの修正及び変更を加えることが可能である。本明細書中で列挙されたものに加えて、開示の範囲内に入る機能的に等価の方法及び器具が、以上の説明から当業者には明白である。このような修正及び変更は、添付のクレームの範囲内に入るよう意図されている。さらに、記載されている要素の多くは、個別の又は分散された構成要素として、又は他の構成要素と併用して、任意の適切な組合せ及び場所で実施することのできる機能的実体である。
【図１】
2013524931.tif 000003
【図２】
2013524931.tif 000004
【図３】
2013524931.tif 000005
【図４】
2013524931.tif 000006
【図５】
2013524931.tif 000007
【図６Ａ】
2013524931.tif 000008
【図６Ｂ】
2013524931.tif 000009
【図７Ａ】
2013524931.tif 000010
【図７Ｂ】
2013524931.tif 000011
【図８】
2013524931.tif 000012
【図９Ａ】
2013524931.tif 000013
【図９Ｂ】
2013524931.tif 000014
【図１０Ａ】
2013524931.tif 000015
【図１０Ｂ】
2013524931.tif 000016
【図１０Ｃ】
2013524931.tif 000017
【図１１】
2013524931.tif 000018
【図１２Ａ】
2013524931.tif 000019
【図１２Ｂ】
2013524931.tif 000020
【図１２Ｃ】
2013524931.tif 000021
【図１２Ｄ】
2013524931.tif 000022
【図１３Ａ】
2013524931.tif 000023
【図１３Ｂ】
2013524931.tif 000024
【図１３Ｃ】
2013524931.tif 000025
【図１４】
2013524931.tif 000026
【図１５】
2013524931.tif 000027
【図１６】
2013524931.tif 000028
【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
床板と、少なくとも１つの側面が可撓性でかつ垂直方向格納式である可撓性通気性材料を含有する複数の側面とを備え、
格納式側面は、第１の縁部及び第２の縁部を有し、第１の縁部は第１の軌道内に連続的に捕捉されており、第２の縁部は第２の軌道内に連続的に捕捉されており、第１の軌道及び第２の軌道が床板の下で湾曲し、こうして垂直方向格納式側面は、完全に格納された時点で床板の下で部分的に湾曲されるようになっており、
床板によって支持されるマットレスと、
マットレスの上面の直下まで上向きに延在し、これにより、側面の可撓性通気性材料はマットレスの上面とその周囲で突合わさり、こうして乳幼児が中に落下したり又は身動きが取れない状態になる可能性のある空隙がマットレスと複数の側面の間に全く存在しなくなっており、かつ乳幼児が接触する可能性のある硬質表面がマットレスの側面に沿って全く存在しなくなっている、ベビーベッドの周囲に付加された複数の外側剛性パネルとをさらに有するベビーベッド。
【請求項２】
複数の側面を連結する複数の直立した隅柱を伴って矩形である床板をさらに有し、第１の軌道及び第２の軌道が隅柱の内部に位置設定されている、請求項１に記載のベビーベッド。
【請求項３】
垂直方向格納式側面の第１の縁部及び第２の縁部の各々には、第１の軌道及び第２の軌道内に捕捉され軌道に沿って転動する少なくとも１つのホイールを有している、請求項１に記載のベビーベッド。
【請求項４】
複数の側面のうち少なくとも１つが湾曲している、請求項１に記載のベビーベッド。
【請求項５】
ベビーベッドをとり囲む格納式天蓋をさらに有する、請求項１に記載のベビーベッド。
【請求項６】
床板が、円形又は長円形の形状を有する、請求項１に記載のベビーベッド。
【請求項７】
垂直方向格納式側面が直立して完全に展開された場合の第１のロック位置から、垂直方向格納式側面が床板の下に完全に又は部分的に格納された場合の第２のロック位置まで、垂直方向格納式側面が軌道に沿って可動である、請求項１に記載のベビーベッド。
【請求項８】
格納式側面が、第１のロック位置と第２のロック位置との間に位置設定された少なくとも１つの中間ロック位置でロックされる、請求項７に記載のベビーベッド。
【請求項９】
第１のロック位置、第２のロック位置及び中間ロック位置が、少なくとも１つの穴と係合して第１のロック位置、第２のロック位置又は中間ロック位置に格納式側面をロックする格納式側面の第１の縁部又は第２の縁部上に位置設定された少なくとも１本のピンを有している、請求項８に記載のベビーベッド。
【請求項１０】
第１のロック位置、第２のロック位置及び中間ロック位置が、ロッキングアームと係合して第１のロック位置、第２のロック位置又は中間ロック位置に格納式側面をロックする格納式側面の第１の縁部又は第２の縁部上に位置設定された少なくとも１つのロックストッパーを有している、請求項８に記載のベビーベッド。
【請求項１１】
格納式側面が、少なくとも１つのフットペダルによって第１のロック位置、第２のロック位置又は中間ロック位置から解放される、請求項８に記載のベビーベッド。
【請求項１２】
第１の軌道及び第２の軌道が、垂直方向格納式側面と突き合わさる２つの側面内に位置づけされている状態で、矩形の床板をさらに有する、請求項１に記載のベビーベッド。
【請求項１３】
床板によって支持されるマットレスと、
可撓性通気性材料を含有する複数の垂直方向不動側面と、
マットレスの上面の直下まで上向きに延在し、これにより、垂直方向不動側面の可撓性通気性材料はマットレスの上面とその周囲で突合わさり、こうして乳幼児が中に落下したり又は身動きが取れない状態になる可能性のある空隙がマットレスと複数の垂直方向不動側面の間に全く存在しなくなっており、かつ乳幼児が接触する可能性のある硬質表面がマットレスの側面に沿って全く存在しなくなっている、ベビーベッドの周囲に付加された複数の外側剛性パネルと、を有するベビーベッド。
【請求項１４】
床板によって支持されるマットレスと、
可撓性通気性材料を含有する複数の垂直方向不動側面と、
マットレスの上面の直下まで上向きに延在し、これにより、垂直方向不動側面の可撓性通気性材料はマットレスの上面とその周囲で突合わさり、こうして乳幼児が中に落下したり又は身動きが取れない状態になる可能性のある空隙がマットレスと複数の垂直方向不動側面の間に全く存在しなくなっており、かつ乳幼児が接触する可能性のある硬質表面がマットレスの側面に沿って全く存在しなくなっている、ベビーベッドの周囲に付加された複数の外側剛性パネルと、を有するベビーベッドであって、床板とマットレスは垂直方向に移動し、複数の追加の外側剛性パネルはベビーベッドの周囲に位置づけでき、これにより外側剛性パネルは、床板とマットレスが垂直方向に移動させられる場合に常にマットレスの上面の直下まで上向きに延在することになるベビーベッド。
【請求項１５】
床板によって支持されるマットレスと、
可撓性通気性材料を含有する複数の垂直方向不動側面と、
マットレスの上面の直下まで上向きに延在し、これにより、垂直方向不動側面の可撓性通気性材料はマットレスの上面とその周囲で突合わさり、こうして乳幼児が中に落下したり又は身動きが取れない状態になる可能性のある空隙がマットレスと複数の垂直方向不動側面の間に全く存在しなくなっており、かつ乳幼児が接触する可能性のある硬質表面がマットレスの側面に沿って全く存在しなくなっている、ベビーベッドの周囲に付加された複数の外側剛性パネルと、を有するベビーベッドにおいて、
床板とマットレスが垂直方向に移動し、外側剛性パネルは、床板とマットレスが垂直方向に移動されている間はベビーベッドから取外され、次に床板とマットレスの新規の高さにおいてベビーベッドに再度取付けることができ、こうして、外側剛性パネルは、床板とマットレスが垂直方向に移動させられる場合に常にマットレスの上面の直下まで上向きに延在することになる、ベビーベッド。
【手続補正２】
【補正対象書類名】図面
【補正対象項目名】図１
【補正方法】変更
【補正の内容】
【図１】
2013524931.tif 000029
【手続補正３】
【補正対象書類名】図面
【補正対象項目名】図２
【補正方法】変更
【補正の内容】
【図２】
2013524931.tif 000030
【手続補正４】
【補正対象書類名】図面
【補正対象項目名】図３
【補正方法】変更
【補正の内容】
【図３】
2013524931.tif 000031
【手続補正５】
【補正対象書類名】図面
【補正対象項目名】図４
【補正方法】変更
【補正の内容】
【図４】
2013524931.tif 000032
【手続補正６】
【補正対象書類名】図面
【補正対象項目名】図５
【補正方法】変更
【補正の内容】
【図５】
2013524931.tif 000033
【手続補正７】
【補正対象書類名】図面
【補正対象項目名】図６Ａ
【補正方法】変更
【補正の内容】
【図６Ａ】
2013524931.tif 000034
【手続補正８】
【補正対象書類名】図面
【補正対象項目名】図６Ｂ
【補正方法】変更
【補正の内容】
【図６Ｂ】
2013524931.tif 000035
【手続補正９】
【補正対象書類名】図面
【補正対象項目名】図７Ａ
【補正方法】変更
【補正の内容】
【図７Ａ】
2013524931.tif 000036
【手続補正１０】
【補正対象書類名】図面
【補正対象項目名】図７Ｂ
【補正方法】変更
【補正の内容】
【図７Ｂ】
2013524931.tif 000037
【手続補正１１】
【補正対象書類名】図面
【補正対象項目名】図８
【補正方法】変更
【補正の内容】
【図８】
2013524931.tif 000038
【手続補正１２】
【補正対象書類名】図面
【補正対象項目名】図９Ａ
【補正方法】変更
【補正の内容】
【図９Ａ】
2013524931.tif 000039
【手続補正１３】
【補正対象書類名】図面
【補正対象項目名】図９Ｂ
【補正方法】変更
【補正の内容】
【図９Ｂ】
2013524931.tif 000040
【手続補正１４】
【補正対象書類名】図面
【補正対象項目名】図１０Ａ
【補正方法】変更
【補正の内容】
【図１０Ａ】
2013524931.tif 000041
【手続補正１５】
【補正対象書類名】図面
【補正対象項目名】図１０Ｂ
【補正方法】変更
【補正の内容】
【図１０Ｂ】
2013524931.tif 000042
【手続補正１６】
【補正対象書類名】図面
【補正対象項目名】図１０Ｃ
【補正方法】変更
【補正の内容】
【図１０Ｃ】
2013524931.tif 000043
【手続補正１７】
【補正対象書類名】図面
【補正対象項目名】図１１
【補正方法】変更
【補正の内容】
【図１１】
2013524931.tif 000044
【手続補正１８】
【補正対象書類名】図面
【補正対象項目名】図１２Ａ
【補正方法】変更
【補正の内容】
【図１２Ａ】
2013524931.tif 000045
【手続補正１９】
【補正対象書類名】図面
【補正対象項目名】図１２Ｂ
【補正方法】変更
【補正の内容】
【図１２Ｂ】
2013524931.tif 000046
【手続補正２０】
【補正対象書類名】図面
【補正対象項目名】図１２Ｃ
【補正方法】変更
【補正の内容】
【図１２Ｃ】
2013524931.tif 000047
【手続補正２１】
【補正対象書類名】図面
【補正対象項目名】図１２Ｄ
【補正方法】変更
【補正の内容】
【図１２Ｄ】
2013524931.tif 000048
【手続補正２２】
【補正対象書類名】図面
【補正対象項目名】図１３Ａ
【補正方法】変更
【補正の内容】
【図１３Ａ】
2013524931.tif 000049
【手続補正２３】
【補正対象書類名】図面
【補正対象項目名】図１３Ｂ
【補正方法】変更
【補正の内容】
【図１３Ｂ】
2013524931.tif 000050
【手続補正２４】
【補正対象書類名】図面
【補正対象項目名】図１３Ｃ
【補正方法】変更
【補正の内容】
【図１３Ｃ】
2013524931.tif 000051
【手続補正２５】
【補正対象書類名】図面
【補正対象項目名】図１４
【補正方法】変更
【補正の内容】
【図１４】
2013524931.tif 000052
【手続補正２６】
【補正対象書類名】図面
【補正対象項目名】図１５
【補正方法】変更
【補正の内容】
【図１５】
2013524931.tif 000053
【手続補正２７】
【補正対象書類名】図面
【補正対象項目名】図１６
【補正方法】変更
【補正の内容】
【図１６】
2013524931.tif 000054
【国際調査報告】
2013524931.tif 000055
2013524931.tif 000056